(57)【要約】      （修正有）【課題】準備に手間が掛からず、火気を使わず安全に使用できて、加熱と冷却の両方に用いることができるフォンデュ用容器を提供する。【解決手段】収容凹部９にチーズ等のソースＣを入れて、フォンデュ用容器１を電子レンジによってチーズ等のソースＣを加熱して溶解する。湯を連通穴から空間部へ注ぎいれて、栓１５によって連通穴を閉鎖する。空間部に入れられた湯によって収容凹部９内のチーズ等のソースＣが温められて、溶けた状態が保たれる。フォークＦに刺したパン等の食材Ｐを収容凹部９内のチーズ等のソースＣに浸け、パン等の食材Ｐにチーズ等のソースＣを絡めて食べる。【選択図】図５
0003181012.tif 000002
【実用新案登録請求の範囲】
【請求項１】
内部に空間部を有する容器本体と、前記空間部を外部に連通させる連通孔と、前記容器本体の上面に設けられた凹部とから成ることを特徴とするフォンデュ用容器。
【請求項２】
請求項１に記載したフォンデュ用容器において、連通孔を閉鎖する着脱自在な栓を具備したことを特徴とするフォンデュ用容器。
【請求項３】
請求項１または２に記載したフォンデュ用容器において、容器本体の外周部に装着される弾性を有するカバーを具備することを特徴とするフォンデュ用容器。
【請求項４】
請求項３に記載したフォンデュ用容器において、カバーは耐熱性をもつ合成樹脂によって構成されていることを特徴とするフォンデュ用容器。
【考案の詳細な説明】
【技術分野】
【０００１】
本考案はフォンデュ用容器に係り、特に火気を使わずに安全で、且つ保温（保冷）性に優れたフォンデュ用容器に関する。
【背景技術】
【０００２】
チーズを白ワインなどで溶かして、これをパンに付けて食べるチーズフォンデュはスイス料理として有名であり、日本においても広く親しまれている。チーズ以外にもチョコレートを用いるチョコレートフォンデュや野菜やエビなどにオリーブオイルとアンチョビで作られたソースをディップして食するバーニャカウダフォンデュなど幅広い年齢層に支持されている。
このチーズフォンデュはチーズを溶かしたり保温したりする必要から例えば特許文献１に記載されたフォンデュ用加熱容器を用いる。このフォンデュ用加熱容器は、焦げを防止するため、鍋とバーナーとの間に中板を設けたものである。
【先行技術文献】
【特許文献】
【０００３】
【特許文献１】実開平６−７５３３０号公報
【考案の概要】
【考案が解決しようとする課題】
【０００４】
しかしながら、上記従来のフォンデュ用加熱容器は鍋以外にスタンド、中板等を備えており、更にチーズ等を加熱するバーナーを準備する必要がある。このため、準備や片付けに手間が掛かり、フォンデュを手軽に楽しむことができないという問題がある。
更に、火気（バーナ）を使用するため、火災の危険がないとは言えない。しかも、火気を使うのでチーズ等が焦げてしまうのを完全に防止することは難しい。
また、従来のフォンデュ用加熱容器は加熱専用であり、冷却に用いることができないため冷製のフォンデュには使用できないという不都合がある。
本考案は上記従来の問題点に着目して為されたものであり、準備や片付けに手間が掛からず、火気を使わず安全に使用することができて、チーズ等が焦げるおそれがなく、更に加熱と冷却の両方に用いることができるフォンデュ用容器の提供を、その目的とする。
【課題を解決するための手段】
【０００５】
本考案は上記課題を解決するためになされたものであり、請求項１の考案は、内部に空間部を有する容器本体と、前記空間部を外部に連通させる連通孔と、前記容器本体の上面に設けられた凹部とから成ることを特徴とするフォンデュ用容器である。
【０００６】
請求項２の考案は、請求項１に記載したフォンデュ用容器において、連通孔を閉鎖する着脱自在な栓を具備したことを特徴とするフォンデュ用容器である。
【０００７】
請求項３の考案は、請求項１または２に記載したフォンデュ用容器において、容器本体の外周部に装着される弾性を有するカバーを具備することを特徴とするフォンデュ用容器である。
【０００８】
請求項４の考案は、請求項３に記載したフォンデュ用容器において、カバーは耐熱性をもつ合成樹脂によって構成されていることを特徴とするフォンデュ用容器である。
【考案の効果】
【０００９】
本考案のフォンデュ用容器は、準備や片付けに手間が掛からず、フォンデュを手軽に楽しむことができるようになる。
更に、火気を使わないので安全に使用することができ、チーズ等が焦げるおそれがない。  
また、本考案のフォンデュ用容器は加熱と冷却の両方に用いることができ、冷製のフォンデュを楽しむことが可能である。
【図面の簡単な説明】
【００１０】
【図１】本考案の実施の形態に係るフォンデュ用容器の分解斜視図である。
【図２】図１のフォンデュ用容器の使用方法を説明するための図である。
【図３】図１のフォンデュ用容器の使用方法を説明するための図である。
【図４】図１のフォンデュ用容器の断面図である。
【図５】図１のフォンデュ用容器の使用方法を説明するための図である。
【考案を実施するための形態】
【００１１】
本考案の実施の形態に係るフォンデュ用容器１を図面にしたがって説明する。
符号３は容器本体を示し、この容器本体３は陶器によって構成され、電子レンジを使用することができ、耐熱性を有している。容器本体３の上端部にはフランジ部５が形成されている。更に、容器本体３の上面には凹部７が形成され、この凹部７は上面の外周部分からフランジ部５に連続している。
【００１２】
容器本体３の上面に中央には収容凹部９が形成されている。また、容器本体３は、その内部に空間部１１を有しており、収容凹部９は空間部１１に囲まれている。
凹部７の底部（容器本体３の上面）には、連通孔１３が形成されており、この連通孔１３は空間部１１と外部とを連通させている。
【００１３】
符号１５は栓を示し、この栓１５は陶器製の栓本体１７とパッキン２３とから構成されている。
栓本体１７は外周面に凹凸が形成された略円柱状の軸部１９と、軸部１９の上端に一体に形成された板状の頭部２１とから構成されている。更に、軸部１９にはシリコーン製のパッキン２３が嵌められており、このパッキン２３は上下方向に間隔をあけて配置される５つのフランジを有している。なお、頭部２１は凹部７に対応する形状に形成され、且つ凹部７に余裕をもって嵌るサイズに設定されている。
【００１４】
符号２５はカバーを示し、このカバー２５はある程度の幅寸法を有する環状を為し、弾性を有する耐熱性をもつ合成樹脂としてのシリコーン樹脂によって構成されている。
カバー２５は容器本体３の外周部に着脱自在に装着される。
符号２９はマットを示し、このマット２９は円板形に形成されている。また、マット２９の表裏面には多数の凸条部３１が設けられ、更に外周寄りの部分には孔３３が形成されている。
【００１５】
このフォンデュ用容器１の使用方法について説明する。
図２に示すように収容凹部９にチーズ等のソースＣを入れて、フォンデュ用容器１を電子レンジＤによってチーズ等のソースＣを加熱して溶解する。容器本体３と栓本体１７は陶器によって構成され、カバー２５とパッキン２３はシリコーン樹脂によって構成されているので、電子レンジＤを使用することができる。
【００１６】
チーズ等のソースＣが溶けたところでフォンデュ用容器１を電子レンジＤから取り出す。この際、カバー２５によって覆われた部分を持つようにすれば、容器本体３の外周面が熱くなっても、カバー２５の外面はそれほど熱くならないので、思わぬ火傷をするのを防止することができる。
【００１７】
そして、図３に示すようにやかんＫから湯Ｈを連通孔１３から空間部１１へ注ぎ入れて、栓１５によって連通孔１３を閉鎖する。
空間部１１に入れられた湯Ｈによって優れた保温性が発揮され、収容凹部９内のソースＣが温められて、溶けた状態が保たれる（図４参照）。前述のように収容凹部９は空間部１１に囲まれているので、チーズ等のソースＣは斑なく加温され、収容凹部９内のチーズ等のソースＣが部分的に固まってしまうのを防止することができる。
栓１５はパッキン２３を有し、このパッキン２３が連通穴１３の内周面に密着して連通穴１３を完全に閉鎖するので、湯Ｈが零れるのを防止することが可能である。
【００１８】
図５に示すように、フォークＦに刺したパン等の食材Ｐを収容凹部９内のチーズ等のソースＣに浸け、パン等の食材Ｐにチーズ等のソースＣを絡めて食べる。
なお、凸条部３１を有するマット２９にフォンデュ用容器１を設置するので、フォンデュ用容器１が安定して備えられて、パン等の食材Ｐにチーズ等のソースＣを絡めるときなどに、フォンデュ用容器１が不用意に動いてしまうのを防止することができる。
【００１９】
このように、フォンデュ用容器１は、電子レンジＤを用いて簡単にチーズ等のソースＣを溶かすことができるので、準備に手間が掛からない。また、フォンデュ用容器１を片付ける際には、空間部１１内の湯Ｈを捨て、フォンデュ用容器１を洗浄するだけで済み、従来例に係るフォンデュ用加熱容器に比べると極めて簡単に片付けることができ、手間が掛からない。従って、フォンデュを手軽に楽しむことが可能である。
また、フォンデュ用容器１では火気を使わないので、火災の危険がなく、安全に使用することができる。しかも、チーズ等のソースＣが焦げてしまうのを完全に防止することができる。
マット２９が汚れた場合には洗浄し、孔３３に台所の壁面等に設けられたフックを通して、マット２９を掛けて干すことができる。
【００２０】
なお、フォンデュ用容器１は上記したようにチーズ等のソースＣを加熱して用いるだけなく、空間部１１に冷水や氷を入れてソースを冷却して冷製のフォンデュにも使用することも可能である。
また、チーズの代わりにチョコレート等を用いたフォンデュにもフォンデュ用容器１を使用することができる。
【００２１】
以上、本考案の実施の形態について詳述してきたが、具体的構成は、この実施の形態に限られるものではなく、本考案の要旨を逸脱しない範囲における設計の変更などがあっても考案に含まれる。
例えば、フォンデュ用容器１は電子レンジを用いることができる陶器、シリコーン樹脂によって構成したが、本考案はこれに限定されず、電子レンジを用いることができるものであれば、合成樹脂等他の材料によって構成してもよい。
上記実施の形態に係るフォンデュ用容器１はカバー２５を具備する構成としたが、本考案はこれに限定されず、カバー２５を具備しない構成とすることも可能である。また、栓１５を具備しない構成とすることも可能である。
【産業上の利用可能性】
【００２２】
本考案に係るフォンデュ用容器は、食器製造業において利用可能性を有する。
【符号の説明】
【００２３】
１…フォンデュ用容器      ３…容器本体      ５…フランジ部
７…凹部      ９…収容凹部      １１…空間部
１３…連通孔    １５…栓      １７…栓本体
１９…軸部      ２１…頭部        ２３…パッキン
２５…カバー    ２９…マット      ３１…凸条部      ３３…孔
Ｃ…チーズ等のソース      Ｈ…湯      Ｄ…電子レンジ
Ｋ…やかん      Ｆ…フォーク    Ｐ…パン等の食材
【図１】
0003181012.tif 000003
【図２】
0003181012.tif 000004
【図３】
0003181012.tif 000005
【図４】
0003181012.tif 000006
【図５】
0003181012.tif 000007
【手続補正書】
【提出日】平成24年11月8日(2012.11.8)
【手続補正１】
【補正対象書類名】実用新案登録請求の範囲
【補正対象項目名】請求項１
【補正方法】変更
【補正の内容】
【請求項１】
内部に空間部を有する容器本体と、前記容器本体の上面に設けられた凹部と、前記凹部に形成され、前記空間部を外部に連通させる連通孔とから成ることを特徴とするフォンデュ用容器。
【手続補正２】
【補正対象書類名】明細書
【補正対象項目名】０００５
【補正方法】変更
【補正の内容】
【０００５】
本考案は上記課題を解決するためになされたものであり、請求項１の考案は、内部に空間部を有する容器本体と、前記容器本体の上面に設けられた凹部と、前記凹部に形成され、前記空間部を外部に連通させる連通孔とから成ることを特徴とするフォンデュ用容器である。